【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
発電を行うとともに電力負荷に電力を供給可能に構成された発電手段と、
前記発電手段からの排熱を回収する排熱回収手段と、
前記排熱回収手段で回収した前記排熱を熱エネルギーとして使用可能に蓄積する蓄熱手段と、
前記蓄熱手段における蓄熱量の満量に伴う前記発電手段の運転停止を予測する停止予測手段と、
前記停止予測手段の前記運転停止の予測に基づいて前記発電手段の運転停止を予告する停止予告手段と、を備え
前記停止予告手段は、熱エネルギーの使用を前記停止予測手段が予測する運転停止の時点よりも前に実施するように告知する排熱利用促進アドバイスを含む前記停止予告を実施する、コージェネレーション装置。
【請求項２】
前記停止予測手段は、前記排熱回収手段における排熱回収量の時間推移と、前記蓄熱手段における熱エネルギー使用量の時間推移と、前記蓄熱手段における蓄熱量の時間推移とに基づき、前記発電手段の運転停止を予測する請求項１記載のコージェネレーション装置。
【請求項３】
前記停止予測手段は、少なくとも、前記排熱回収量の時間推移を示す時間推移の基準パターンである発電電力量基準パターンと、前記熱エネルギー使用量の時間推移の基準パターンである熱エネルギー使用量基準パターンと、前記蓄熱量の時間推移の基準パターンである蓄熱量基準パターンとに基づき、前記発電手段の運転停止を予測する請求項２記載のコージェネレーション装置。
【請求項４】
前記停止予測手段は記憶手段を有し、
前記記憶手段に、予め別途作成された前記発電電力量基準パターン、前記熱エネルギー使用量基準パターン、及び、前記蓄熱量基準パターンを記憶手段のデータが格納されている請求項３記載のコージェネレーション装置。
【請求項５】
前記停止予測手段は、所定期間における運転での前記発電電力量、前記熱エネルギー使用量、及び、前記蓄熱量の各時間推移パターンを取得し、該取得した各時間推移パターンから、前記発電電力量基準パターン、前記熱エネルギー使用量基準パターン、及び、前記蓄熱量基準パターンを作成する請求項３記載のコージェネレーション装置。
【請求項６】
前記停止予測手段は、現在の運転における前記発電電力量、前記熱エネルギー使用量、及び、前記蓄熱量を取得し、該取得した各々の時間推移を各々に対応する前記基準パターンと比較するとともに、現時点から前記蓄熱量が満量となるまでの時間である運転継続可能時間を演算し、該比較及び演算の結果に基づいて前記発電手段の運転が停止するか否かを予測し、
前記停止予告手段は、前記停止予測手段からの前記停止予測情報に基づいて、画像及び音の少なくともいずれかにより前記停止予告を行う請求項記載３記載のコージェネレーション装置。
【請求項７】
前記停止予測手段は、前記蓄熱手段における蓄熱可能残量を、単位時間における実質的な排熱回収量で除算して前記運転継続可能時間を算出する請求項６記載のコージェネレーション装置。
【請求項８】
前記停止予測手段は、
前記発電電力量を検知する発電電力量検知手段と、
前記熱エネルギー使用量を検知する熱エネルギー使用量検知手段と、
前記排熱回収量を検知する排熱回収量検知手段と、
前記発電電力量検知手段、前記熱エネルギー使用量検知手段、及び、前記排熱回収量検知手段から得られた各検知情報を収集及び蓄積するデータ収集蓄積手段と、
時刻を計測する計時手段と、
前記排熱回収量と前記熱エネルギー使用量とから前記蓄熱量を演算し、かつ前記運転継続可能時間を演算する演算手段と、
前記データ収集蓄積手段に蓄積された前記発電電力量検知手段及び前記熱エネルギー使用量検知手段からの各検知情報と前記演算手段で演算された前記蓄熱量と、前記計時手段からの時刻信号と、から得られた、前記発電電力量、前記熱エネルギー使用量、及び、前記蓄熱量の各々についての前記時間推移パターンを、前記基準パターンとして記憶する記憶手段と、
現在の運転において取得された前記発電電力量、前記熱エネルギー使用量、及び、前記排熱回収量を、各々に対応する前記各基準パターンと比較する比較手段と、を備え、
前記停止予測手段は、前記演算された前記運転継続可能時間と前記比較手段での比較結果とから運転が停止するか否かを判断するものであり、
前記停止予告手段は、前記停止予測手段からの前記停止予測情報に基づいて画像を表示する画像表示手段及び音を発する音報知手段の少なくともいずれかを備えている請求項７記載のコージェネレーション装置。
【請求項９】
前記停止予告手段は、前記運転継続可能時間内に、所定の時間間隔で前記停止予告を行う請求項７記載のコージェネレーション装置。
【請求項１０】
前記排熱利用促進アドバイスが、熱エネルギーの使用を自動的に実施するか否かの選択を含むものであり、前記停止予告手段は、ユーザが実施を選択した場合に、前記熱エネルギーの使用を自動的に実施するよう、前記コージェネレーション装置を制御する請求項１記載のコージェネレーション装置。
【請求項１１】
前記熱エネルギーの使用が、入浴に伴う熱エネルギーの使用であり、前記排熱利用促進アドバイスは、入浴に伴う湯使用を推奨するものである請求項１記載のコージェネレーション装置。
【請求項１２】
前記停止予測手段は、前記停止予告手段からの前記停止予告に対するユーザの注意の喚起レベルを設定する注意喚起レベル設定手段をさらに備え、
前記停止予告手段は、前記注意喚起レベル設定手段により設定された前記注意喚起レベルに応じて前記停止予告を行う請求項１記載のコージェネレーション装置。
【請求項１３】
前記停止予告手段は、前記停止予測手段の前記注意喚起レベル設定手段により設定された前記注意喚起レベルに応じた頻度及び表現方法の少なくともいずれかで、前記画像表示手段及び前記音報知手段の少なくともいずれかによって前記停止予告を行う請求項１２記載のコージェネレーション装置。
【請求項１４】
前記停止予告手段は、複数の異なる前記注意喚起レベルに対応する複数の異なる予告表現データを格納したデータ格納手段と、前記注意喚起レベル設定手段で設定された前記注意喚起レベルに応じて前記データ格納手段に格納された前記予告表現データを選択するデータ選択手段とをさらに備えている請求項１３記載のコージェネレーション装置。
【請求項１５】
前記データ格納手段に、複数の異なる前記注意喚起レベルに対応する複数の異なる動物の画像及び鳴き声の少なくともいずれかが格納され、
前記データ選択手段により選択された前記動物の画像及び鳴き声の少なくともいずれかにより、前記停止予告が行われる請求項１４記載のコージェネレーション装置。
【請求項１６】
前記発電手段が、燃料電池発電システムで構成されている請求項１記載のコージェネレーション装置。
【手続補正２】
【補正対象書類名】明細書
【補正対象項目名】００１１
【補正方法】変更
【補正の内容】
【００１１】
上記課題を解決するため、本発明に係るコージェネレーション装置は、発電を行うとともに電力負荷に電力を供給可能に構成された発電手段と、前記発電手段からの排熱を回収する排熱回収手段と、前記排熱回収手段で回収した前記排熱を熱エネルギーとして使用可能に蓄積する蓄熱手段と、前記蓄熱手段における蓄熱量の満量に伴う前記発電手段の運転停止を予測する停止予測手段と、前記停止予測手段の前記運転停止の予測に基づいて前記発電手段の運転停止を予告する停止予告手段と、を備え前記停止予告手段は、熱エネルギーの使用を前記停止予測手段が予測する運転停止の時点よりも前に実施するように告知する排熱利用促進アドバイスを含む前記停止予告を実施する。
【手続補正３】
【補正対象書類名】明細書
【補正対象項目名】００１６
【補正方法】変更
【補正の内容】
【００１６】
前記停止予測手段は、前記蓄熱手段における蓄熱可能残量を、単位時間における実質的な排熱回収量で除算して前記運転継続可能時間を算出してもよい。
前記停止予測手段は、前記発電電力量を検知する発電電力量検知手段と、前記熱エネルギー使用量を検知する熱エネルギー使用量検知手段と、前記排熱回収量を検知する排熱回収量検知手段と、前記発電電力量検知手段、前記熱エネルギー使用量検知手段、及び、前記排熱回収量検知手段から得られた各検知情報を収集及び蓄積するデータ収集蓄積手段と、時刻を計測する計時手段と、前記排熱回収量と前記熱エネルギー使用量とから前記蓄熱量を演算し、かつ前記運転継続可能時間を演算する演算手段と、前記データ収集蓄積手段に蓄積された前記発電電力量検知手段及び前記熱エネルギー使用量検知手段からの各検知情報と前記演算手段で演算された前記蓄熱量と、前記計時手段からの時刻信号と、から得られた、前記発電電力量、前記熱エネルギー使用量、及び、前記蓄熱量の各々についての前記時間推移パターンを、前記基準パターンとして記憶する前記記憶手段と、現在の運転において取得された前記発電電力量、前記熱エネルギー使用量、及び、前記排熱回収量を、各々に対応する前記各基準パターンと比較する比較手段と、を備え、前記停止予測手段は、前記演算された前記運転継続可能時間と前記比較手段での比較結果とから運転が停止するか否かを判断するものであり、前記停止予告手段は、前記停止予測手段からの前記停止予測情報に基づいて画像を表示する画像表示手段及び音を発する音報知手段の少なくともいずれかを備えていてもよい。
【手続補正４】
【補正対象書類名】明細書
【補正対象項目名】００１８
【補正方法】削除
【補正の内容】